(57)【要約】【課題】本発明は、アップキー・ダウンキーを有するリモコンを利用した操作の場合に、アップキー・ダウンキー押圧操作時の移動量を変更することができる自動販売機を提供することにある。【解決手段】アップキー、ダウンキーを有する各種設定・確認操作用のリモコンを備え、該リモコンのアップキーあるいはダウンキーが操作される度に、表示された数値に対して所定数値分だけ増減可能な自動販売機において、前記リモコンに前記所定数値の移動量を変更できる変更キーを備え、前記リモコンを操作して各種設定・確認モードとした際に、前記変更キーが操作された後、前記アップキーあるいはダウンキーが操作されると、前記所定数値の増減する移動量を変更できる。【選択図】図１
2013089179.tif 000002
【特許請求の範囲】
【請求項１】
アップキー、ダウンキーを有する各種設定・確認操作用のリモコンを備え、該リモコンのアップキーあるいはダウンキーが操作される度に、表示された数値に対して所定数値分だけ増減可能な自動販売機において、
前記リモコンに前記所定数値の移動量を変更できる変更キーを備え、前記リモコンを操作して各種設定・確認モードとした際に、前記変更キーが操作された後、前記アップキーあるいはダウンキーが操作されると、前記所定数値の増減する移動量を変更できることを特徴とする自動販売機。
【請求項２】
請求項１に記載の自動販売機において、前記変更キーによる操作による移動量は、前記所定数値に対し、該所定数値を所定倍した数値とし、該変更キーが操作された後、前記アップキーあるいはダウンキーが操作されると、該アップキーあるいはダウンキーが操作される度に前記所定数値を所定倍した数値分だけ増減する移動量とすることを特徴とする自動販売機。
【請求項３】
請求項１または２に記載の自動販売機において、前記リモコンに価格設定キーを備え、
該価格設定キーを操作して価格設定モードとし、該価格設定モード時にアップキーあるいはダウンキーを操作すると、表示された初期値に対し、所定数値は１０円ずつ増減する移動量であるとともに、前記価格設定モードにて、前記変更キーを操作した後、アップキーあるいはダウンキーを操作すると、所定数値の所定倍した数値は１００円ずつ増減する移動量であることを特徴とする自動販売機。
【請求項４】
請求項１ないし請求項３のいずれかひとつの項に記載の自動販売機において、前記変更キーを複数備え、該複数の変更キー毎に異なる所定倍を割り付けてあることを特徴とする自動販売機。
【請求項５】
請求項１ないし請求項４のいずれかひとつの項に記載の自動販売機において、前記変更キーは、リモコンに既存のキーを兼用することを特徴とする自動販売機。
【発明の詳細な説明】
【技術分野】
【０００１】
本発明は、自動販売機にアップキー、ダウンキーを有するリモコンを搭載し、このリモコンを操作して各種設定・確認が行える自動販売機の改良に関する。
【背景技術】
【０００２】
従来、自動販売機の各種設定・確認操作を行うためにリモコンを備え、このリモコンには、アップキー、ダウンキーを有し、このアップキー、ダウンキーは、初期値に対して１回押すごとに各種設定項目の切替、モード切替、表示の増減などが行えるようになっている。
【０００３】
このアップキー、ダウンキーを用いた設定作業としては、例えば、価格設定などが知られており、例えば、特許文献１に記載のように、以下の手順で設定作業が行われている。
【０００４】
運転状態が価格設定モードに移行されると、設定価格の初期値である「１１０」円と表示する。
【０００５】
この状態で、管理者がダウン釦（ダウンキー）を１回押圧操作した場合には、「１００」円と表示させる。すなわち、ダウン釦（ダウンキー）を１回押圧操作した場合には、設定価格が１０円減少される。一方、管理者がアップ釦（アップキー）を１回押圧操作した場合には、「１２０」円と表示させる。すなわち、アップ釦（アップキー）を１回押圧操作した場合には、設定価格が１０円増加される。
【０００６】
次いで、管理者は、表示されている価格を確認し、その価格、例えば１２０円に設定したい商品選択釦を操作すると、記憶手段は、操作された商品選択釦２２と価格とを対応させて記憶する。このようにして、管理者は、商品選択釦に価格を設定する。
【０００７】
次に、例えば、商品選択釦に１２０円の価格設定をした後、管理者がアップ釦（アップキー）を３回押圧操作した場合には、「１５０」円と表示させる。
【０００８】
次いで、管理者は、その価格、例えば１５０円に設定したい商品選択釦を操作すると、記憶手段に商品選択釦と価格とを対応させて記憶させる。
【先行技術文献】
【特許文献】
【０００９】
【特許文献１】特開２００６−１８４６８３号公報
【発明の概要】
【発明が解決しようとする課題】
【００１０】
上記設定作業の一例としての価格設定において、缶、ペットボトル飲料を販売する自動販売機の場合、商品の価格帯として１２０円あるいは１５０円の価格帯が多数を占めるため、価格設定の際にアップ釦、ダウン釦による１０円ずつの移動でも面倒ではないが、近年、高額商品も販売する自動販売機も増えてきており、価格設定の際に１０円ずつの移動では、管理者の操作に負担が増える。
【００１１】
また、価格設定以外の設定作業においては、例えば、コラム数が多くなると、アップ釦、ダウン釦によるコラムの移動が１コラムずつしかできないため、特定コラムの商品選択ボタンの設定を変更したい場合は、コラム送りの操作も面倒であった。
【００１２】
さらに、上記設定の確認作業においても、コラムの移動が１コラムずつしかできないため、特定コラムの内容を確認したい場合は、コラム送りの操作も面倒であった。
【００１３】
そこで、本発明は、上記課題に鑑みてなされたものであって、アップキー・ダウンキーを有するリモコンを利用した操作の場合に、アップキー・ダウンキー押圧操作時の移動量を変更することができる自動販売機を提供することを目的とする。
【課題を解決するための手段】
【００１４】
上記目的を達成するために、本発明の自動販売機は、以下の手段により構成されるものである。
１）アップキー、ダウンキーを有する各種設定・確認操作用のリモコンを備え、該リモコンのアップキーあるいはダウンキーが操作される度に、表示された数値に対して所定数値分だけ増減可能な自動販売機において、前記リモコンに前記所定数値の移動量を変更できる変更キーを備え、前記リモコンを操作して各種設定・確認モードとした際に、前記変更キーが操作された後、前記アップキーあるいはダウンキーが操作されると、前記所定数値の増減する移動量を変更できることを特徴とする。
２）前記自動販売機において、前記変更キーによる操作による移動量は、前記所定数値に対し、該所定数値を所定倍した数値とし、該変更キーが操作された後、前記アップキーあるいはダウンキーが操作されると、該アップキーあるいはダウンキーが操作される度に前記所定数値を所定倍した数値分だけ増減する移動量とすることを特徴とする。
３）前記自動販売機において、前記リモコンに価格設定キーを備え、該価格設定キーを操作して価格設定モードとし、該価格設定モード時にアップキーあるいはダウンキーを操作すると、表示された初期値に対し、所定数値は１０円ずつ増減する移動量であるとともに、前記価格設定モードにて、前記変更キーを操作した後、アップキーあるいはダウンキーを操作すると、所定数値の所定倍した数値は１００円ずつ増減する移動量であることを特徴とする。
４）前記自動販売機において、前記変更キーを複数備え、該複数の変更キー毎に異なる所定倍を割り付けてあることを特徴とする。
５）前記自動販売機において、前記変更キーは、リモコンに既存のキーを兼用することを特徴とする。
【発明の効果】
【００１５】
本発明は、アップキー・ダウンキーを有するリモコンに所定数値の移動量を変更できる変更キーを備え、前記リモコンを操作して各種設定・確認モードとした際に、アップキー・ダウンキー押圧操作時の移動量を変更することができるので、初期値あるいは既存設定値からの大幅な数値変更が短時間で行うことができ、作業効率を向上させることができる。
【図面の簡単な説明】
【００１６】
【図１】本発明の実施の形態にかかる自動販売の構成を示すブロック図である。
【図２】本発明の実施の形態を示すリモコンの概略外観図である。
【図３】本発明の実施の形態を示すフローチャート図である。
【図４】本発明の対象となる自動販売機を示す概略正面図である。
【図５】本発明の対象となる自動販売機を示す概略斜視図である。
【発明を実施するための形態】
【００１７】
以下に図１ないし図５を参照しながら、本発明に係る自動販売機の実施の形態について説明する。
【００１８】
図４は対象となる自動販売機の一例を示す概略正面図、図５は図４における自動販売機の外扉を開放した状態における概略斜視図である。
【００１９】
ここで例示する自動販売機１は、缶入り飲料やペットボトル入り飲料、ビン入り飲料等の商品を冷却、もしくは加熱した状態で販売するためのもので、本体キャビネット２を備えている。本体キャビネット２は、複数の鋼板を組み合わせることによって構成したもので、前面が開口した箱状を成している。
【００２０】
本体キャビネット２の内部は、機械室３と商品収容室４とに画成されている。また、商品収容室４は、断熱仕切板によってさらに三つの商品収納庫４ａ，４ｂ，４ｃに仕切られている。
【００２１】
商品収納庫４ａ，４ｂ，４ｃには、それぞれ商品収納ラック５が搭載してあり、その下方部には、シュータ６が設けてある。シュータ６は、商品収納ラック５から払い出された商品を案内するためのもので、手前側に向けて下方に傾斜している。図には明示していないが、機械室３には、内部を所望の温度に維持するための冷却ユニットや加熱ユニットが設けてある。
【００２２】
また、上記自動販売機１には、本体キャビネット２の一側縁部に内扉７及び外扉８を保持させてある。内扉７は、商品収容室４の前面開口を開閉するためのもので、中空の鋼板パネルに断熱材を充填する等、断熱機能を有するように構成してある。外扉８は、本体キャビネット２の前面開口を開閉するためのものである。
【００２３】
外扉８の前面には、上部に商品見本展示室８０と、該商品見本展示室８０内に配置される複数の商品見本８１と、該商品見本８１に対応して設けられる後述の販売可能ランプ８２ａおよび売切ランプ８２ｂを備える商品選択ボタン８２と、硬貨を投入する硬貨投入口８３と、紙幣を挿入する紙幣挿入口８４と、釣銭などを返却する硬貨返却口８５と、投入貨幣を返却する返却レバー８６と、投入金額表示を行う金額表示を含む一体表示器８７と、シュータ２３によって案内された商品を取り出すための商品取出口８８、シリンダー錠付きのハンドル８９とが設けてある。
【００２４】
また、外扉８の裏面側には、メインコントロールボックス１０、各種設定・確認操作用のリモコン１１、硬貨投入口８３から投入された硬貨の真偽、種類などを選別し、計数および釣銭を払い出す硬貨処理装置１２、紙幣挿入口８４から挿入された紙幣の真偽、種類などを識別する紙幣識別装置１３などが配置されている。
【００２５】
次に、図１は、本発明の実施例を示すブロック図であり、メインコントロールボックス１０内には、自動販売機全体を制御する主制御部１０１、制御プログラムを記憶するメモリ１０２、自動販売機の動作に係る設定データを含む各種データを記憶するメモリ１０３などを備える。
【００２６】
このメインコントロールボックス１０には、各種設定・確認操作を行うためのリモコン１１、硬貨投入口８３から投入された硬貨の真偽、種類などを選別し、計数および釣銭を払い出す硬貨処理装置１２、紙幣挿入口８４から挿入された紙幣の真偽、種類などを識別する紙幣識別装置１３、冷却機およびヒータなどからなる冷熱装置１４，商品を搬出する商品搬出装置１５を制御する本体制御部１６、販売可能ランプ８２ａおよび売切ランプ８２ｂを備える商品選択ボタン８２、一体表示器８７がそれぞれ接続されている。
【００２７】
次に、図２に示すリモコンの概略外観図のように、リモコン１１は、冷温切替キー１１ａ、表示部１１ｂ、コラム設定キー１１ｃ、価格設定キー１１ｄ、ダウンキー１１ｅ、アップキー１１ｆ、クリアキー１１ｇ、終了キー１１ｈなどを備えており、本実施の形態においては、所定数値の移動量を変更できる変更キーとして、コラム設定キー１１ｃには「×１０」キー１１ｉを、価格設定キー１１ｄには「×５」キー１１ｊをそれぞれ割り付けてある。
【００２８】
このコラム設定キー１１ｃ、価格設定キー１１ｄと変更キー（「×１０」キー１１ｉ、「×５」キー１１ｊ）との機能の切り替えについて、後述する本実施の形態の説明に用いる価格設定モードで説明すると、通常の所定数値の移動量は、リモコン１１の価格設定キー１１ｄを操作して価格設定モードとして、アップキー１１ｆあるいはダウンキー１１ｅを押すと、表示部１１ｂに表示された初期値あるいは既存設定値に対して、価格が「１０」円ずつ増減し、価格設定モードにて、「×１０」キー１１ｉを押して、アップキー１１ｆあるいはダウンキー１１ｅを押すと、表示部１１ｂに表示された初期値あるいは既存設定値に対して、価格が「１００」円ずつ増減する。
【００２９】
このように、「×１０」キー１１ｉを押した場合には、所定数値の移動量に対して１０倍し、また、「×５」キー１１ｊの場合には、所定数値の移動量に対して５倍するものである。
【００３０】
なお、リモコン１１のキーの配置、上記各キー種類および表示部１１ｂは一例であり、上記キーおよび表示部に限られるものではない。
【００３１】
この構成において、図３のフローチャート図を用い、本実施の形態について、その制御動作を説明する。
【００３２】
まず、外扉８を開放して、リモコン１１を取り出し、価格設定キー１１ｄを操作し、価格設定モードとすると（ステップＳ０１，Ｙｅｓ）、リモコン１１の表示部１１ｂおよび一体表示器８７に価格初期値の「１２０」円が表示される（ステップＳ０２）。
【００３３】
この状態で、アップキー１１ｆを押すと（ステップＳ０３）、所定数値の移動量である「１０」円を価格初期値の「１２０」円に加算して、表示部１１ｂおよび一体表示器８７には「１３０」円と表示される（ステップＳ０４）。
【００３４】
このように、価格設定キー１１ｄを操作して、アップキー１１ｆを押すと、所定数値の移動量である「１０」円ずつ価格が増加する。
【００３５】
次に、「×１０」キー１１ｉを押した後（ステップＳ０５）、アップキー１１ｆを押すと（ステップＳ０６）、所定数値の移動量である「１０」円に「１０」を乗算した「１００」円を現表示価格の「１３０」円に加算して、表示部１１ｂおよび一体表示器８７には「２３０」円と表示される（ステップＳ０７）。
【００３６】
次に、クリアキー１１ｇを押すと（ステップＳ０８）、所定数値の移動量である「１０」円に戻り、ここで、アップキー１１ｆを押すと（ステップＳ０９）、所定数値の移動量である「１０」円を現在表示価格の「２３０」円に加算して、表示部１１ｂおよび一体表示器８７には「２４０」円と表示される（ステップＳ１０）。
【００３７】
ここで、「２４０」円に設定したい商品の商品選択ボタン８２を押すと（ステップＳ１１）、対応するコラムの販売価格が「２４０円」に設定され、メモリ１０３に記憶される（ステップＳ１２）。
【００３８】
次に、終了キー１１ｈを押すと（ステップＳ１３）、待機状態に戻る。
【００３９】
このように、本実施の形態においては、操作キーを増やすことなく、高額商品の価格設定の作業を容易に行えるようにしたものであり、作業の効率化を図ることができる。
【００４０】
上記本実施の形態においては、アップキー１１ｆを押したときのみ説明したが、ダウンキー１１ｇの場合には、「×１０」キー１１ｉを押して、次に、ダウンキー１１ｇを押すと、「１０」円に「１０」を乗算した「１００」円単位で表示価格から減算されるものである。
【００４１】
また、「×１０」キー１１ｉを用いた移動量の操作について説明したが、「×５」キー１１ｊが押された場合には、「１０」円に「５」を乗算した「５０」円単位となり、アップキー１１ｆ、ダウンキー１１ｇの操作により、「５０」円単位でアップダウンする。
【００４２】
なお、「×１０」キー１１ｉと「×５」キー１１ｊの２種類としたが、商品が高額になれば、「×５０」キー、「×１００」キーを設けるなど、販売する商品に応じて追加あるは変更してもよい。
【００４３】
また、図３のフローチャートにおいては、「２４０」円を設定する処理として、初期値「１２０」に対し、「１０」→「１００」→「１０」の順序で「×１０」キー１１ｉを用いて加算したが、「１０」→「１０」→「１００」あるいは「１００」→「１０」→「１０」の順序で加算するように「×１０」キー１１ｉを操作して良く、管理者が操作し易い順序にて変更キー（「×１０」キー１１ｉ、「×５」キー１１ｊ）を操作して設定を行えばよい。
【００４４】
さらに、本実施の形態として価格設定における操作について説明したが、例えば、コラム数の多い大型の自動販売機においては、コラムと商品選択ボタン８２との対応関係の設定におけるコラム送りなどに本実施の形態を用いてもよい。
【符号の説明】
【００４５】
１          自動販売機
２        本体キャビネット
８          外扉
８２        商品選択ボタン
８７        一体表示器
１０        メインコントロールボックス
１０１      主制御部
１０２      メモリ
１０３      メモリ
１１        リモコン
１１ｂ      表示部
１１ｃ      コラム設定キー
１１ｄ      価格設定キー
１１ｅ      ダウンキー
１１ｆ      アップキー
１１ｇ      クリアキー
１１ｈ      終了キー
１１ｉ      ×１０キー
１１ｊ      ×５キー
【図１】
2013089179.tif 000003
【図２】
2013089179.tif 000004
【図３】
2013089179.tif 000005
【図４】
2013089179.tif 000006
【図５】
2013089179.tif 000007